(57)【要約】【課題】  球案内部材が駆動手段のオフ時に不用意に回転することを防止し、遊技球が零れ落ちることがないようにする。【解決手段】  払出装置１９は、払出装置本体２１と、この払出装置本体２１に形成された球通路２８、３１と、払出装置本体２１に回転可能に設けられた球案内体２２と、モータ３９とを備えて構成されている。球案内体２２は、第１及び第２の球案内部材３６、３７を備え、この球案内部材３６、３７は、外周部が凹凸状をなし、回転により外周部が球通路２８、３１を順次移動する。前記球案内部材３６、３７の外周部の外面を、該球案内部材３６、３７の回転軸中心線Ｃに対して傾斜する傾斜面４０、４１に形成している。【選択図】  図１
2006141865.tif 000002
【特許請求の範囲】
【請求項１】
払出装置本体と、
この払出装置本体に形成され、一端部に球入口を有すると共に他端部に球出口を有する球通路と、
前記払出装置本体に回転可能に設けられ、外周部が凹凸状をなし、回転により該外周部が球通路を順次移動する球案内部材と、
この案内部材を回転駆動する駆動手段と
を備え、
前記球入口から入った遊技球を個別に前記球案内部材の凹凸状をなす外周部により前記球出口方向へ案内することにより遊技球を払出しするものであって、
前記球案内部材の外周部における少なくとも凸部の外面を、該球案内部材の回転軸中心線に対して傾斜する傾斜面に形成したことを特徴とする遊技球の払出装置。
【請求項２】
請求項１に記載の遊技球の払出装置において、
前記球案内部材の傾斜面は一方向へ直線的に傾斜する面からなることを特徴とする遊技球の払出装置。
【請求項３】
請求項１に記載の遊技球の払出装置において、
前記球案内部材の傾斜面は曲面からなることを特徴とする遊技球の払出装置。
【発明の詳細な説明】
【技術分野】
【０００１】
本発明は、払出装置本体内に、駆動手段により回転駆動される球案内部材を備えた遊技球の払出装置に関する。
【背景技術】
【０００２】
遊技装置例えばパチンコ機の払出装置は、パチンコ機の球タンクから遊技球の受け皿までの通路に介在されており、遊技球を所定個数球払い出すために用いられている。この払出装置としては特許文献１に示される構成がある。
【０００３】
このものでは、図９に示すように、払出装置本体１に、上端部に球入口２ａを有すると共に下端部に球出口２ｂを有する球通路２が形成されている。また、この払出装置本体１には、図示しないモータにより回転駆動される球案内部材３が回転可能に設けられている。この球案内部材３は、外周部を凹凸状に形成している。つまり、凸部３ａと、この凸部３ａ相互間の凹部３ｂとを交互に有し、矢印Ａ方向の回転により前記凸部３ａ及び凹部３ｂが球通路２を順次移動するようになっている。なお、球出口２ｂ部分には球の通過数をカウントするためのセンサ４が設けられている。
【０００４】
上記構成において、モータに払出指令が出力されると、モータが回転駆動されて、球案内部材３が回転される。この場合、遊技球５が球案内部材３の凸部３ａに受けられながら、該凸部３ａの移動に伴って球通路２を流下し、球通路２を球出口２ｂ方向へ案内される。この時、回転後段の凸部３ａが次の遊技球５を受け止めている。球案内部材３がある角度範囲回転すると、この凸部３ａにて受け止められていた遊技球５が球通路２を通過することになる。
【特許文献１】特開２００４−２６７２７６号公報
【発明の開示】
【発明が解決しようとする課題】
【０００５】
ところで、上述の払出装置において、パチンコ店の閉店時に、図９のような状態で、モータが電源オフされると、球案内部材３上方の遊技球５群の荷重（球圧）が該球案内部材３の外周部にかかり、該球案内部材３がわずかに回転してしまい、球通路２内にあった遊技球５が払出装置から零れ落ち、受け皿に払い出されることがあった。零れ落ちる遊技球の個数は殆ど１個であるが、この場合、次の日の開店時前に、受け皿の遊技球を従業員などが回収しなければならない。
【０００６】
本発明は上述の事情に鑑みてなされたものであり、その目的は、モータなどの駆動手段が電源オフされた状態でも、遊技球が零れ落ちることのない遊技球の払出装置を提供するにある。
【課題を解決するための手段】
【０００７】
上述の目的を達成するために、請求項１の発明は、払出装置本体と、この払出装置本体に形成され、一端部に球入口を有すると共に他端部に球出口を有する球通路と、前記払出装置本体に回転可能に設けられ、外周部が凹凸状をなし、回転により該外周部が球通路を順次移動する球案内部材と、この案内部材を回転駆動する駆動手段とを備え、前記球入口から入った遊技球を個別に前記球案内部材の凹凸状をなす外周部により前記球出口方向へ案内することにより遊技球を払出しするものであって、前記球案内部材の外周部における少なくとも凸部の外面を、該球案内部材の回転軸中心線に対して傾斜する傾斜面に形成したことを特徴とする。
【０００８】
この請求項１の発明において、球入口から入った遊技球は、個別に球案内部材の凸部外面に受けられながら、該球案内部材の回転（凸部の移動）により、球通路を球出口方向へ移動する。これにより、遊技球が個別に払い出されてゆく。
遊技球が球案内部材の凸部外面に受け止められた状態で、駆動手段の電源がオフされると、凸部外面に複数の遊技球の荷重がかかり、この荷重が球案内部材を回転させようとする力として作用することがある。
【０００９】
この場合、請求項１の発明によれば、凸部の外面を、その回転中心線に対して傾斜する傾斜面に形成しているから、この凸部外面に当接している遊技球の荷重が、傾斜面で分力され、球案内部材を回転させようとする方向の力成分が減少する。この結果、球案内部材が駆動手段のオフ時に不用意に回転することを防止でき、遊技球が零れ落ちることを防止できる。
また、傾斜面を一方向へ直線的に傾斜する面から構成しても良く（請求項２の発明）、このようにすると、傾斜面の形成が容易となる。なお、傾斜面は曲面から構成しても良い（請求項３の発明）。
【発明の効果】
【００１０】
本発明によれば、球案内部材が駆動手段のオフ時に不用意に回転することを防止でき、遊技球が零れ落ちることを防止できる。
【発明を実施するための最良の形態】
【００１１】
以下、本発明の一実施例について図面を参照して説明する。図２は遊技機たるパチンコ機の背面図であり、パチンコ機１１は、前面枠１２、この前面枠１２の裏面に取付枠１３を介して着脱可能に装着される遊技盤１４、この遊技盤１４の裏面に回動可能に装着される合成樹脂製の機構板１５を備えている。
【００１２】
この機構板１５の上部には、遊技球のタンク１６が設けられている。このタンク１６の下方には、遊技球１７（図１、図８参照）を整列して通す誘導通路１８が設けられている。この誘導通路１８は、タンクレール１８ａとカーブレール１８ｂとから構成されており、それぞれ遊技球１７を２条（２列）で流下誘導する構成となっている。この誘導通路１８の下端には、遊技球の払出装置１９が設けられており、この払出装置１９の下方には、払い出された遊技球１７を、前面枠１２の前面の球受皿（図示略）に導くための誘導通路２０が設けられている。
【００１３】
図１、図３〜図７を参照して、払出装置１９について説明する。この払出装置１９は、払出装置本体２１と、球案内体２２と、駆動手段たるモータ３９とを備えている。払出装置本体２１は、いずれも合成樹脂製の右ケース２３と、中ケース２４と、左ケース２５とを連結して構成されている。この払出装置本体２１には、一端部たる上端部に球入口２６を有すると共に他端部たる下端部に球出口２７を有する第１の球通路２８と、上端部に球入口２９を有すると共に他端部たる下端部に球出口３０を有する第２の球通路３１とが形成されていると共に、各球通路２８、２９の球出口２７、３１部分にセンサ配置部３２が形成されている。
【００１４】
図６に示すように、前記第１の球通路２８は右ケース２３の通路部２８ａと中ケース２４の通路部２８ｂとから構成されている。また、第２の球通路３１は中ケース２４の通路部３１ａと左ケース２５の通路部３１ｂとから構成されている。さらに、センサ配置部３２は右ケース２３の配置部３２ａと中ケース２４の配置部３２ｂと左ケース２５の配置部３２ｃ（図１参照）とから構成されている。中ケース２４には、球案内体２２を配置するための球案内体配置用空間部３４が形成されている。
【００１５】
球案内体２２は、胴部３５にそれぞれ球案内部材たる第１の球案内部材３６、第２の球案内部材３７を設けて構成されている。第１及び第２の球案内部材３６、３７は基本的に同じ構成であるので、第１の球案内部材３６について説明する。この第１の球案内部材３６は、外周部が凹凸状をなしている。すなわち、外周部に、３つの凸部３６ａ、３６ｂ、３６ｃが形成されており、各凸部３６ａ、３６ｂ、３６ｃ間の凹部は円弧凹状をなしている。各凸部３６ａ、３６ｂ、３６ｃは爪状をなしている。
第２の球案内部材３７には、この第１の球案内部材３６と同一部分には同一の添え字を付している。ただし、この第２の球案内部材３７は第１の球案内部材３６に対して回転角６０度ずれた関係となっている。
【００１６】
上述の球案内体２２は、右ケース２３の軸孔２３ａ、連結ブッシュ３８、左ケース２５の軸部２５ａにより回転可能に支持された形態で、胴部３５が前記球案内体配置用空間部３４に配置されている。なお、この球案内体２２の回転軸中心線（仮想中心線）は図１に仮想線Ｃで示されている。そして、この球案内体２２の球案内部材３６は、図８に示すように、その凸部３６ａ、３６ｂ、３６ｃの一部が前記各球通路２８の円弧状部分内に位置しており、矢印Ｒ方向の回転により凸部３６ａ、３６ｂ、３６ｃが該球通路２８を上から下へと移動する。また、第２の球案内部材３７は、その凸部３７ａ、３７ｂ、３７ｃの一部が球通路３１の円弧状部分内に位置している。
【００１７】
ここで、前記第１の球案内部材３６において、凸部３６ａ、３６ｂ、３６ｃを含めた全外周部の外面には、傾斜面４０が形成されている。また、球案内部材３７において、凸部３７ａ、３７ｂ、３７ｃを含めた全外周部の外面には、傾斜面４１が形成されている。この傾斜面４０、４１は各球案内部材３６、３７の回転軸中心線（図１に示した仮想線Ｃ）に対して傾斜する平面からなる。この場合、傾斜面４０は図１において右下がり傾斜であり、傾斜面４１は左下がり傾斜である。
【００１８】
なお、前記モータ３９は右ケース２３の外面に取り付けられており、このモータ３９の回転軸３９ａ（図１参照）は前記ブッシュ３８を介して前記球案内体２２に連結されている。また、前記センサ配置部３２には、遊技球１７の通過を検出する球センサ４２、４３がそれぞれ設けられている。
【００１９】
さて、上記構成の作用を説明する。第１の球案内部材３６及び第２の球案内部材３７はいずれも同じ動作をするから、例えば第１の球案内部材３６の動作を中心に述べる。球入口２６から入った遊技球１７は、個別に第１の球案内部材３６の凸部３６ａ、３６ｂ、３６ｃの外面である傾斜面４０に受けられながら、該球案内部材３６の回転（凸部３６ａ、３６ｂ、３６ｃの移動）により、図８（ａ）、（ｂ）に示すように、球通路２８を球出口２７方向へ移動する。これにより、遊技球が個別に払い出されてゆく。
【００２０】
ところで、図８（ａ）に示すように遊技球１７が第１の球案内部材３６の一つの凸部例えば３６ａに受け止められた状態で、モータ３９の電源がオフされると、凸部３６ａ外面に複数の遊技球１７の荷重がかかり、この荷重が該第１の球案内部材３６を回転させようとする力として作用することがある。
この場合、本実施例によれば、凸部３６ａ、３６ｂ、３６ｃの外面を、その回転中心線Ｃに対して傾斜する傾斜面４０に形成しているから、遊技球１７はこの凸部３６ａの傾斜面４０により、図７に示すように、遊技球１７の荷重Ｗが、傾斜面４０で、Ｗ１、Ｗ２に分力され、これにて、第１の球案内部材３６を回転させようとする方向の力成分がＷからＷ１に減少する。
この結果、第１の球案内部材３６、３７従って球案内体２２がモータ３９のオフ時に不用意に回転することを防止でき、遊技球１７が零れ落ちることを防止できる。
【００２１】
また、本実施例によれば、前記傾斜面４０（４１）を、球案内部材３６（３７）の凸部３６ａ、３６ｂ、３６ｃ（３７ａ、３７ｂ、３７ｃ）を含めた全外周部の外面に形成したから、球案内部材３６（３７）の全外周部で遊技球１７の荷重を分散できて、さらなる荷重の軽減を図ることができる。この場合、球案内部材３６（３７）の少なくとも凸部３６ａ、３６ｂ、３６ｃ（３７ａ、３７ｂ、３７ｃ）の外面に傾斜面を形成すれば所期の目的を達成できる。
【００２２】
また、傾斜面４０（４１）を一方向へ直線的に傾斜する面から構成したから、傾斜面４０（４１）の形成が容易となる。
【００２３】
この場合、傾斜面４０（４１）の傾斜角度は５度〜１５度とすると良く、このようにすると、球案内部材３６（３７）による遊技球１７の案内を良好に図りながら、該球案内部材３６（３７）に対する遊技球１７の荷重分散も良好に図ることができる。
【００２４】
なお、本発明の実施例は次のように変更しても良い。傾斜面は複数方向へ直線的に傾斜する複数の面（例えば逆Ｖ字状の面など）から構成しても良いし、さらには、傾斜面は曲面から構成しても良い。払出装置としては、１つの球案内部材と１つの球通路を備えたものでもよく、またはそれらが３つ以上でも良い。
【図面の簡単な説明】
【００２５】
【図１】本発明の一実施例を示す図８（ａ）のＪ−Ｊ線断面図
【図２】パチンコ機の背面図
【図３】払出装置の側面図
【図４】同斜視図
【図５】同下面図
【図６】同分解斜視図
【図７】作用説明のための第１の球案内部材及び遊技球の接触部分の断面図
【図８】（ａ）は球通路部分での縦断側面図、（ｂ）は（ａ）とは異なる動作状態での球通路部分での縦断側面図
【図９】従来例を示す図８（ａ）相当図
【符号の説明】
【００２６】
図面中、１１はパチンコ機、１６はタンク、１７は遊技球、１８は誘導通路、１９は払出装置、２１は払出装置本体、２２は球案内体、２６、２９は球入口、２７、３０は球出口、２８、３１は球通路、３６は第１の球案内部材（球案内部材）、３６ａ、３６ｂ、３６ｃは凸部、３７は第２の球案内部材（球案内部材）、３７ａ、３７ｂ、３７ｃは凸部、３９はモータ（駆動手段）、４０、４１は傾斜面を示す。
【図１】
2006141865.tif 000003
【図２】
2006141865.tif 000004
【図３】
2006141865.tif 000005
【図４】
2006141865.tif 000006
【図５】
2006141865.tif 000007
【図６】
2006141865.tif 000008
【図７】
2006141865.tif 000009
【図８】
2006141865.tif 000010
【図９】
2006141865.tif 000011